(57)【要約】      （修正有）【課題】拡散特性を有する試料の絶対反射率の測定結果が、同一試料において同一の結果が得られるように調整可能な分光光度計を提供する。【解決手段】光源からの入射光を試料に照射し、前記試料で反射した反射光を積分球３で検出する分光光度計において、前記積分球を固定する固定部材が、前記試料から前記積分球までの距離を変化することができる伸縮部材で構成されている可変機構１３を有している。【選択図】図３
2015004512.tif 000002
【特許請求の範囲】
【請求項１】
光源からの入射光を試料に照射し、前記試料で反射した反射光を積分球で検出する分光光度計において、
前記積分球を固定する固定部材が、前記試料から前記積分球までの距離を変化することができる伸縮部材で構成されていることを特徴とする分光光度計。
【請求項２】
請求項１の分光光度計において、
前記固定部材は、2つの固定板と当該固定板の間に設けられたガイド部材から構成されていることを特徴とする分光光度計。
【請求項３】
請求項１の分光光度計において、
前記固定部材は、回転可能な回転部材に固定されており、前記試料は当該回転部材上に載置されることを特徴とする分光光度計。
【請求項４】
請求項１の分光光度計において、
前記固定部材を前記試料から第一の距離において測定した反射率と、前記試料から第二の距離において測定した反射率を用いて、前記試料の曇り度を測定することを特徴とする分光光度計。
【請求項５】
請求項４の分光光度計において、
前記曇り度の測定を、前記入射光の前記入射角を変更して測定することを特徴とする分光光度計。
【請求項６】
試料に光源からの入射光を入射させ、試料で反射した反射光を積分球で測定する試料の分光測定方法において、
前記試料から積分球までの距離が２つの異なる距離にて前記反射光を測定し、
前記試料の反射に対する拡散性を測定することを特徴とする試料の分光測定方法。
【発明の詳細な説明】
【技術分野】
【０００１】
本発明は、分光光度計に関し、特に積分球を備えた分光光度計に関する。
【背景技術】
【０００２】
分光光度計は、一般的に装置本体内に光源、分光器、試料室、検出器、信号増幅器、制御部等を内蔵している。ミラーやガラスなどの反射率の測定は、積分球を用いた分光光度計が用いられている。
【０００３】
積分球を用いた分光光度計として、引用文献１、引用文献２が挙げられる。引用文献１では、内蔵検出器と、外付け検出器とを備え、着脱可能な光路切換部を試料室に装着したときには、内蔵検出器からの検出信号に基づいた測定に代えて外付け検出器からの検出信号に基づいた測定が行われるように切り換わる分光光度計であって、内蔵検出器または外付け検出器からの測定データについての閾値Ｔを記憶する測定データ閾値記憶部と、測定光を試料室に導入した状態で、内蔵検出器または外付け検出器からの測定データと閾値Ｔとの比較結果に基づいて、いずれの検出器が測定光の受光が可能な状態かを認識する受光検出器認識部とを備える分光光度計が開示されている。
【先行技術文献】
【特許文献】
【０００４】
【特許文献１】特開2013-11518号公報
【発明の概要】
【発明が解決しようとする課題】
【０００５】
拡散特性を有する試料において各メーカーや装置間において絶対反射率の結果が異なる場合がある。これは装置の試料の反射面と積分球までの距離の違いに起因することが考えられる。
【０００６】
従来の角度可変測定装置は、試料から積分球までの距離が一定となっている。このため試料が拡散反射を有する試料の場合、測定結果が異なるという問題点があった。
【０００７】
本発明は、拡散特性を有する試料の絶対反射率の測定結果が、同一試料において同一の結果が得られるように調整可能な分光光度計を提供することを目的とする。
【課題を解決するための手段】
【０００８】
上記課題を解決するため、本発明は以下の構成を備える。光源からの入射光を試料に照射し、前記試料で反射した反射光を積分球で検出する分光光度計において、前記積分球を固定する固定部材が、前記試料から前記積分球までの距離を変化することができる伸縮部材で構成されていることを特徴とする分光光度計。
【発明の効果】
【０００９】
本発明によれば、試料から積分球までの距離を可変にすることで、反射率測定において、試料と積分球の距離を変更したデータ取得が可能になり、装置間の測定結果に差異を小さくすることが可能となる。
【図面の簡単な説明】
【００１０】
【図１】分光光度計の概略図（角度可変測定装置）
【図２】本発明の可変機構を用いた分光光度計の概略図（角度可変測定装置）
【図３】本発明による反射率測定の例
【図４】本発明による反射率測定の例（距離変更時）
【図５】本発明による曇り度測定の例
【図６】本発明による曇り度測定の例（距離変更時）
【図７】反射率の測定結果
【発明を実施するための形態】
【００１１】
まず、分光光度計の基礎の構造を示す。
【００１２】
図１は、ミラーやガラスなどの反射率の測定をする際の分光光度計および専用の付属装置を示している。図1に示す付属装置では、試料光1、対象光2、積分球(検知器)3、偏光子4、試料台5、回転台7、固定板8、9、ミラー10、11、12を有する。分光光度計本体から照射される試料光1と対照光2を使用し、積分球(検知器)3にて、これらの光を検知する。また、光路上に偏光子試料を設置可能な試料台5を有する。この試料台は回転軸6を中心に回転可能であり、この回転軸6を共通して有する回転台7に積分球3は固定板8、9により接続されている。積分球3も回転軸6を中心に回転させることが可能である。
【００１３】
試料光1は、偏光子4を通り積分球3により光量を検出されベースライン補正がなされる。試料台5に試料を設置すれば透過率測定も可能である。一方、対照光2はミラー10、11、12を介して積分球3へ導かれる。ミラー10、11は回転軸6と同軸上に設置することにより、積分球3が回転された場合でも対照光2を積分球に導くことが可能となっている。
【００１４】
図２は、反射率の測定について示した図である。反射率の測定の際は、試料台5を回転させることにより試料14に入射角を与えることが可能である。そして積分球3は入射角の2倍 回転させることにより、任意の入射角における反射率を測定可能となる。図2では、例として試料光1を試料14に入射角60度にて入射させた、その反射率測定を行った場合の平面図を示している。試料台5に試料14を設置し、例えば60度の入射角度であれば試料台5を回転させて試料光1が試料14に入射角60度で照射されるようにする。このとき積分球3は試料14が反射した直進光（正反射）を受光するために回転台7、固定板8、固定板9により回転移動され、試料14の反射光15を受光することにより反射率測定が実施される。
【実施例１】
【００１５】
図3は固定板8と固定板9の接続部分に、積分球3と試料台5の位置を可変可能な可変機構13を特徴とした装置を示す。可変機構として、例えばガイドレールが挙げられる。レールタイプの可変機構の場合は、固定板8と固定板9の間にレールを設置し固定板9およびこれに固定された積分球3が可動可能となる。これにより試料台5から積分球3までの距離を変更することができる。
【００１６】
図4は図3の装置において、積分球3と試料台5間の距離を可変させた状態を示している。図4は図3よりも試料台5から積分球3までの距離が大きく設定している。例えば可動機構13部分に目盛を付けることにより試料台5からの積分球3の距離を正確に変更することが可能となる。
【００１７】
なお、反射率の測定ではベースライン補正については、試料光1は偏光子4を通り試料を設置していない状態の試料台5を通過して積分球3にて受光しベースライン補正が実行される。なお、偏光子4の有無については限定しない。
【００１８】
また、本実施例では、固定板8、固定板9の２つの固定板に可変機構13を設けているが、これに限らず当該板は伸縮性を有する一枚の固定版で固定してもよい。
【００１９】
本実施例によれば、可変機構13により試料台5から積分球3までの距離を適切に設定することができ、装置間の測定結果に差異を小さくすることが可能となる。
【実施例２】
【００２０】
本実施例では、試料の曇り度の測定を説明する。拡散性を有する試料の透過においては、試料の拡散性(曇り度)の評価方法がヘーズ測定として確立されているが、反射に対する拡散性の評価方法が無かった。本発明により、反射測定における拡散性の評価方法を提供とする。
【００２１】
図5は、図2と同様に試料14の入射角60度における反射率測定の際の装置状態を示したものである。試料台5に試料14を設置し、例えば60度の入射角度であれば試料台5を回転させて試料光1が試料14に入射角60度で照射されるようにする。このとき積分球3は試料14が反射した直進光（正反射）を受光するために回転台7、固定板8、固定板9と回転移動させ、試料14の反射光15を受光することにより反射率測定行われる。このときの反射率をR1とする。
【００２２】
図6は、積分球3と試料台5の距離を図5よりも大きくした状態において、試料14の入射角60度における反射率測定の際の装置状態を示したものである。試料台5に試料14を設置し、例えば60度の入射角度であれば試料台5を回転させて試料光1が試料14に入射角60度で照射されるようにする。このとき積分球3は試料14が反射した直進光（正反射）を受光するために回転台7、固定板8、固定板9と回転移動させ、試料14の反射光15を受光することにより反射率測定行われる。このときの反射率をR2とする。
【００２３】
図7は図5、図6で測定された反射率のスペクトルを表している。試料が拡散性を有している場合、その関係はR1＞R2となる。試料と積分球の距離が大きくなると試料が拡散特性を有する場合には拡散された拡散光は積分球に受光されにくくなる。このR1およびR2を用いて曇り度＝(R1-R2)/R1を算出することができる。
【００２４】
実際に算出を実施した結果を表1に示す。表1では試料1と試料２では、試料2の方が高い曇り度で、拡散性が強いことがわかる。
【００２５】
【表１】
2015004512.tif 000003
【００２６】
なお、本実施例では、入射角60度における反射率を測定したが、試料台5を回転させ入射角を変化させて曇り度を測定することも可能である。
【００２７】
本実施例によれば、可変機構13により試料台5から積分球3までの距離を変更して測定することにより、試料の曇り度を算出することができる。
【符号の説明】
【００２８】
1  試料光
2  対象光
3  積分球(検知器)
4  偏光子
5  試料台
6  回転軸
7  回転台
8  固定板
9  固定板
10 ミラー
11 ミラー
12 ミラー
13 可変機構
14 試料
15 反射光
【図１】
2015004512.tif 000004
【図２】
2015004512.tif 000005
【図３】
2015004512.tif 000006
【図４】
2015004512.tif 000007
【図５】
2015004512.tif 000008
【図６】
2015004512.tif 000009
【図７】
2015004512.tif 000010